(57)【要約】【課題】キーを用いてシリンダ錠を不正に解錠操作した場合でも、他のロック手段を用いて不正解錠を防止することができる遊技機の施錠装置を提供する。【解決手段】本体フレーム２の支持板３の上部と下部にフック５，６が枢軸を介して傾動可能に枢支される。上下のフックが支持板に沿って摺動可能に配設された連結杆７により連結され、本体フレーム２の中間部にシリンダ錠１０が取り付けられる。シリンダ錠１０の錠軸にカム板８が固定され、カム板８が係合可能な係合部７ｂが連結杆７に設けられる。シリンダ錠１０のケース１１内に上錠軸１７と下錠軸２７が連係可能に配設され、ケース１１内に電磁ソレノイド２０が配設され、電磁ソレノイド２０の作動に応じて上錠軸１７の回動が下錠軸２７に連係される。【選択図】図３
2006020927.tif 000002
【特許請求の範囲】
【請求項１】
取付板と支持板を断面Ｌ形に曲折して縦長の本体フレームが形成され、該本体フレームの支持板の上部と下部にフックが枢軸を介して傾動可能に枢支され、該上下のフックが該支持板に沿って摺動可能に配設された連結杆により連結され、該本体フレームの中間部にシリンダ錠が取り付けられ、該シリンダ錠の錠軸にカム板が固定され、該カム板が係合可能な係合部が該連結杆に設けられ、該フックが遊技機の本体側に取り付けた受け金具の係止部に係止されて施錠する遊技機の施錠装置において、
該シリンダ錠のケース内に上錠軸と下錠軸が連係可能に配設され、該ケース内に電磁ソレノイドが配設され、該電磁ソレノイドの作動に応じて該上錠軸の回動が下錠軸に連係されることを特徴とする遊技機の施錠装置。
【請求項２】
取付板と支持板を断面Ｌ形に曲折して縦長の本体フレームが形成され、該本体フレームの内側に、上部と下部にフック部を前方に向けて突設した施錠杆が上下摺動可能に配設され、該本体フレームの中間部にシリンダ錠が取り付けられ、該シリンダ錠の錠軸にカム板が固定され、該カム板が係合可能な係合部が該施錠杆に設けられ、該フックが遊技機の本体側に取り付けた受け金具の係止部に係止されて施錠する遊技機の施錠装置において、
該シリンダ錠のケース内には上錠軸と下錠軸が連係可能に配設され、該ケース内に電磁ソレノイドが配設され、該電磁ソレノイドの作動に応じて該上錠軸の回動が下錠軸に連係されることを特徴とする遊技機の施錠装置。
【請求項３】
前記シリンダ錠内の前記上錠軸と下錠軸の間に、前記電磁ソレノイドがそのソレノイドプランジャを該上錠軸または下錠軸の一方に連結させその他方に係合可能に配設され、該電磁ソレノイドのソレノイドプランジャが作動時に該上錠軸または下錠軸に係合して回動を伝達することを特徴とする請求項１または２記載の遊技機の施錠装置。
【請求項４】
取付板と支持板を断面Ｌ形に曲折して縦長の本体フレームが形成され、該本体フレームの支持板の上部と下部にフックが枢軸を介して傾動可能に枢支され、該上下のフックが該支持板に沿って摺動可能に配設された連結杆により連結され、該本体フレームの中間部にシリンダ錠が取り付けられ、該シリンダ錠の錠軸にカム板が固定され、該カム板が係合可能な係合部が該連結杆に設けられ、該フックが遊技機の本体側に取り付けた受け金具の係止部に係止されて施錠する遊技機の施錠装置において、
該シリンダ錠のケース内の軸心位置に配置された錠軸の側部に係止片が突設され、該ケース内に電磁ソレノイドが配設され、該電磁ソレノイドのソレノイドプランジャが該錠軸の係止片に係合して該錠軸の回動を阻止するように配置され、該電磁ソレノイドの作動により該ソレノイドプランジャと該係止片との係合が解除されることを特徴とする遊技機の施錠装置。
【請求項５】
取付板と支持板を断面Ｌ形に曲折して縦長の本体フレームが形成され、該本体フレームの内側に、上部と下部にフック部を前方に向けて突設した施錠杆が上下摺動可能に配設され、該本体フレームの中間部にシリンダ錠が取り付けられ、該シリンダ錠の錠軸にカム板が固定され、該カム板が係合可能な係合部が該施錠杆に設けられ、該フックが遊技機の本体枠側に取り付けた受け金具の係止部に係止されて施錠する遊技機の施錠装置において、
該シリンダ錠のケース内の軸心位置に配置された錠軸の側部に係止片が突設され、該ケース内に電磁ソレノイドが配設され、該電磁ソレノイドのソレノイドプランジャが該錠軸の係止片に係合して該錠軸の回動を阻止するように配置され、該電磁ソレノイドの作動により該ソレノイドプランジャと該係止片との係合が解除されることを特徴とする遊技機の施錠装置。
【発明の詳細な説明】
【技術分野】
【０００１】
本発明は、パチンコ機或はスロットマシン等の遊技機の前面枠を施錠する遊技の施錠装置に関する。
【背景技術】
【０００２】
この種の遊技機用の施錠装置として、遊技機の本体枠（キャビネット）の前面にヒンジを介して開閉可能に取り付けられた前面枠（前扉）を施錠するために、前面枠の内側に縦に装着され、本体枠側に取り付けた受け金具にフック状のフックを係止させて施錠する施錠装置が、下記特許文献１などで知られている。
【０００３】
この施錠装置は、通常、取付板と支持板を横断面略Ｌ形に成形してなる縦長の基枠体を有し、その基枠体の内側に、鉤部を上部と下部に前方を向けて突設した施錠杆が摺動可能に配設され、基枠体の取付板の中間部にシリンダ錠が取り付けられ、その錠軸の先端に取り付けたカム板を施錠杆に連結させ、シリンダ錠のキー操作によりカム板を回動させ、施錠杆を摺動させて鉤部を上下に動かし、受け金具との係合を外して解錠する構造である。また、施錠杆には鉤部を施錠側に付勢するコイルばねが掛止され、前面枠を本体枠に対し閉鎖した時、鉤部が受け金具の縁部に当って摺動しながら、係止状態となり、コイルばねの付勢力で、鉤部が係止位置に戻り、施錠状態となるように動作する。
【０００４】
ところで、この種の遊技機は、近年、大当たり入賞状態になれば、多くの球やコインの払出が行なわれる機種が人気を呼び、大当たり入賞の生じる遊技機が多く製造されている。しかし、大当たり入賞の当選の確率は、通常、制御回路内のプログラムやメモリのデータにより決定されることから、遊技場の営業中や非営業中に係らず、遊技機の前面枠を不正に開き、制御回路内の回路部品を不正な部品と交換し、有利な条件で遊技を行なうことにより、不正に多くの球やコインの払出を得るような不正行為が発生している。
【０００５】
遊技機には、殆ど全てに上記のような構造の施錠装置が装着されており、正常なキーを用いてシリンダ錠を操作して、施錠装置を解錠しなければ、遊技機の前面枠は、殆ど開くことが難しい。しかしながら、不正に施錠装置が無理やり或は真正キーから作られた不正キー等を用いて不正解錠が行なわれ、前面枠を開いて、上記のような不正操作が行なわれる場合があった。このため、真正キーから不正に作られた不正キー等により施錠装置が解錠操作された場合であっても、他の手段で施錠装置のロックが働き、不正解錠を阻止することができる施錠装置が要望されていた。
【特許文献１】特開平１２−１１６９１７号公報
【特許文献２】特開２００１−２０５７３号公報
【発明の開示】
【発明が解決しようとする課題】
【０００６】
そこで、従来、シリンダ錠の錠軸にカムを固定した構造の錠装置において、そのカムの軸を錠軸に対し係合、非係合可能に連結すると共に、カムの外側に電磁ソレノイドを取り付け、その電磁ソレノイドによりカムの軸を錠軸に対し係合させ、或は係合を解除させる構造の錠装置が、上記特許文献２において提案されている。しかしながら、この従来の錠装置は、カムの外側に電磁ソレノイドが取り付けられているため、この種の錠装置を遊技機の施錠装置に使用した場合、施錠装置の基枠体から電磁ソレノイドが遊技機の前面枠内に突き出し、前面枠内の各種の部品と干渉しやすく、結局、遊技機の施錠装置には使用できないという課題があった。
【０００７】
本発明は、上記の点に鑑みてなされたもので、キーを用いてシリンダ錠を不正に解錠操作した場合でも、他のロック手段を用いて不正解錠を防止することができる遊技機の施錠装置を提供することを目的とする。
【課題を解決するための手段】
【０００８】
上記目的を達成するために、本発明の請求項１の施錠装置は、取付板と支持板を断面Ｌ形に曲折して縦長の本体フレームが形成され、該本体フレームの支持板の上部と下部にフックが枢軸を介して傾動可能に枢支され、該上下のフックが該支持板に沿って摺動可能に配設された連結杆により連結され、該本体フレームの中間部にシリンダ錠が取り付けられ、該シリンダ錠の錠軸にカム板が固定され、該カム板が係合可能な係合部が該連結杆に設けられ、該フックが遊技機の本体枠側に取り付けた受け金具の係止部に係止されて施錠する遊技機の施錠装置において、該シリンダ錠のケース内には上錠軸と下錠軸が連係可能に配設され、該ケース内に電磁ソレノイドが配設され、該電磁ソレノイドの作動に応じて該上錠軸の回動が下錠軸に連係されることを特徴とする。
【０００９】
また、請求項２の施錠装置は、取付板と支持板を断面Ｌ形に曲折して縦長の本体フレームが形成され、該本体フレームの内側に、上部と下部にフック部を前方に向けて突設した施錠杆が上下摺動可能に配設され、該本体フレームの中間部にシリンダ錠が取り付けられ、該シリンダ錠の錠軸にカム板が固定され、該カム板が係合可能な係合部が該施錠杆に設けられ、該フックが遊技機の本体枠側に取り付けた受け金具の係止部に係止されて施錠する遊技機の施錠装置において、該シリンダ錠のケース内には上錠軸と下錠軸が連係可能に配設され、該ケース内に電磁ソレノイドが配設され、該電磁ソレノイドの作動に応じて該上錠軸の回動が下錠軸に連係されることを特徴とする。
【００１０】
ここで、上記施錠装置においては、シリンダ錠内の上錠軸と下錠軸の間に電磁ソレノイドがそのソレノイドプランジャを係合可能に配設され、該電磁ソレノイドのソレノイドプランジャが作動時に該上錠軸と下錠軸に係合して回動を伝達するように構成することができる。
【発明の効果】
【００１１】
上記構成の施錠装置は、遊技機の前扉の内側に縦に取り付けられ、遊技機のキャビネット側に取り付けた受け金具の係止部に、上下のフックが係止されて施錠が行なわれる。シリンダ錠の電磁ソレノイドには例えば管理用コンピュータに接続された駆動回路に電気的に接続される。そして、通常時の施錠装置のシリンダ錠は、上錠軸と下錠軸が非連係状態であるため、キーを差し込んでシリンダ錠を回したとしても、下錠軸に固定されたカム板は回動せず、解錠操作を行なうことはできない。
【００１２】
前面枠を開く場合、管理用コンピュータから解錠指令信号を駆動回路に出力し、駆動回路（ソレノイド用の電源をオンオフする回路）によってシリンダ錠内の電磁ソレノイドが動作する。これにより、シリンダ錠内の上錠軸と下錠軸が連係状態となって、差し込んだキー操作により上錠軸を回動させたとき、下錠軸が回動する状態となり、カム板が回動可能な状態となる。したがって、その状態で、キーをシリンダ錠に差し込み、回動操作すれば、上錠軸、下錠軸及びカム板が解錠方向に回動し、前扉を解錠することができる。
【００１３】
一方、管理用コンピュータから解錠指令信号が出力されず、駆動部の電磁ソレノイドが動作しない状態では、ロックピンがカム板をロックしており、シリンダ錠に差し込んだキーより解錠しようとしても、カム板は動かず、解錠することができない。
【００１４】
例えば、真正キーから不正キーを作り、或は真正キーを使用して不正解錠しようとする者がいた場合、シリンダ錠にキーを差し込み、カム板を回して連結杆または施錠杆を摺動させようとしても、電磁ソレノイドの作動による上錠軸と下錠軸の連係がなければ、施錠装置を解錠することはできず、キーを用いた不正解錠は防止される。
【００１５】
また、この施錠装置は、構造的には、既存の施錠装置に対し、シリンダ錠を交換するだけで、簡単に実施することができる。さらに、シリンダ錠内に電磁ソレノイドを収納したため、電磁ソレノイドが施錠装置から突出した構造となることがなく、遊技機内の非常に狭いスペースに施錠装置を装着しても、内部の部品が干渉せず、パチンコ機、スロットマシンなどの遊技機において、セキュリティの高い施錠装置として使用することができる。
【発明を実施するための最良の形態】
【００１６】
以下、本発明の一実施形態を図面に基づいて説明する。図１はスロットマシンの前扉を施錠する施錠装置の右側面図を示し、図２はその正面図を、図３はそのシリンダ錠１０の拡大断面図を示している。この施錠装置のシリンダ錠１０は、通常より長い円筒状のケース１１を有して形成され、そのケース１１内に電磁ソレノイド２０を配設し、電磁ソレノイド２０の作動によりシリンダ錠１０の解錠操作をロックし、或はアンロックするように構成される。
【００１７】
施錠装置の本体フレーム２は、図１に示すように、取付板４と支持板３を断面Ｌ形に成形した縦長の本体フレーム２を有し、その支持板３の上部と下部に、鉤状のフック５、６がその中間部を枢軸５ａ，６ａを介して傾動可能に枢支され、両フック５、６の末端部が、本体フレーム２内に摺動可能に配設した連結杆７により、連結軸５ｂ，６ｂを介して連結される。
【００１８】
連結杆７の中間部には、ガイド孔７ａ（長孔）が長手方向に形成され、そのガイド孔７ａにガイドピン１９が挿通されてその先端が支持板３に固定され、連結杆７は所定の長手方向の移動範囲内で、摺動可能に保持されている。また、連結杆７の中間部には後述のカム板８に係合可能な係合部７ｂが形成されている。連結杆７と支持板３の間に、スイッチ作動杆３１が摺動可能に配設される。スイッチ作動杆３１にはスイッチ作動片３１ａが支持板３から外側突き出すように設けられ、そのスイッチ作動片３１ａが図示しない非接触スイッチをオンオフ作動して、ゲームリセット信号などを発生させる。このスイッチ作動杆３１は上記ガイドピン１９をその一部に設けた長孔に挿通係合させ、所定の範囲での上下摺動をガイドさせている。このスイッチ作動杆３１は取付板４との間に装着されたコイルばね３４により上方に付勢される。また、連結杆７は、取付板４との間に装着されたコイルばね３５により下方に付勢されている。
【００１９】
図２に示すように、本体フレーム２の取付板４の中央下寄りに幅広部が設けられ、そこに長尺のシリンダ錠１０が前面に突き出し且つその下錠軸２７を本体フレーム２の内側に挿入する形態で取り付けられる。シリンダ錠１０は、図３に示すように、長尺の円筒状のケース１１を有して形成され、ケース１１の上部（先端部）には、内側フランジ１１ａが形成され、その内側フランジ１１ａ内に、キーを挿入するための略円形のキー挿入空間１６が形成されている。ケース１１の末端にはフランジ部１１ｂが上下の張り出すように設けられ、シリンダ錠１０は、取付板４に設けた大径孔にそのケース１１を内側から外側に差し込むように装着され、フランジ部１１ｂを介して固定ねじによって取付板４に締め付け固定される。
【００２０】
そのキー挿入空間１６の真下のケース１１内に、上錠軸１７が回動可能に配設され、錠本体１２がケース１１内に上錠軸１７を回動可能に支持するように固定されている。図４に示すように、上錠軸１７には大径のフランジ部１７ａが形成され、そのフランジ部１７ａの中央上に円柱状の突部１７ｃが形成され、この突部１７ｃには、キー挿入空間１６にキーを挿入したとき、キー先端の凹部が嵌入する。上錠軸１７のフランジ部１７ａ内には、複数のピン孔１７ｄが軸方向に沿って穿設され、これらのピン孔１７ｄに、各々、上タンブラーピン１４が挿入される。また、上錠軸１７の下端部（末端部）には、後述のソレノイドプランジャ２３と嵌合可能な嵌合部１７ｂが嵌合穴として形成されている。この嵌合部は穴以外に突部として形成することもでき、その場合はソレノイドプランジャの先端に嵌合穴を形成して嵌合させる。
【００２１】
ケース１１内には円柱状の錠本体１２が固定され、上記上錠軸１７はこの錠本体１２によって回動可能に支持される。錠本体１２は、図４に示すように、中央軸方向に軸孔１２ａが穿設され、その軸孔１２ａに上錠軸１７の軸部が回動可能に挿入される。また、錠本体１２の軸孔１２ａの周囲に、複数のピン孔１２ｂが上錠軸１７のピン孔１７ｄと対応した位置に穿設される。
【００２２】
そして、図３に示すように、上錠軸１７の各ピン孔１７ｄには、上タンブラーピン１４が挿入され、錠本体１２の軸孔１２ａには、下タンブラーピン１５がコイルばね１８と共に挿入される。上錠軸１７のフランジ部１７ａの下面と錠本体１２の上面の境界にシャーラインが設定され、その境界に上タンブラーピン１４と下タンブラーピン１５の当接面が一致したとき、シリンダ錠１０は解錠状態となる。
【００２３】
ケース１１内の錠本体１２及び上錠軸１７の下側に小形の電磁ソレノイド２０が収納される。図４に示すように、電磁ソレノイド２０のヨーク２１は、ケース１１内に挿入可能に小形に形成され、円筒形のヨーク２１内に励磁コイル２２を巻装し、そのヨーク２１の軸孔にソレノイドプランジャ２３が軸方向に摺動可能に配設される。ソレノイドプランジャ２３は、その上端（先端）に先端嵌合部２３ａが形成され、先端嵌合部２３ａの元部に円盤部２３ｃが設けられている。先端嵌合部２３ａは円柱の一部側面が平坦に形成され、上記上錠軸１７の嵌合部（穴）１７ｂに嵌入したとき、回転を伝達可能である。この電磁ソレノイド２０は、励磁コイル２２の非通電時、コイルばね２８の付勢力により押上られ、先端嵌合部２３が上錠軸１７の嵌合部１７ｂに嵌合する。
【００２４】
一方、ヨーク２１内の励磁コイル２２の通電時、円盤部２３ｃがヨーク２１に効果的に吸着され、ソレノイドプランジャ２３がその末端の末端嵌合部２３ｂを下錠軸２７側に突き出すように移動する構造である。プランジャ２３の先端嵌合部２３ａは、上記のように、非通電時、上錠軸１７の嵌合部１７ｂに嵌合している。ソレノイドプランジャ２３の下端（末端）に形成される末端嵌合部２３ｂは、例えば矩形形状に形成され、下錠軸２７の嵌合部２７ｂ（矩形孔）に嵌合したとき、回転を伝達可能である。なお、電磁ソレノイド２０のソレノイドプランジャ２３は通電時、回動力を受けた状態であっても、回動可能な構造である。
【００２５】
シリンダ錠１０のケース１１内も末端には、円環状の固定支持部２９が固定され、固定支持部２９の軸孔に下錠軸２７の軸部が回動可能に嵌挿される。上記のように、下錠軸２７の先端には嵌合部２７ｂが嵌合穴として形成され、その奥にコイルばね２８が挿入され、嵌合部２７ｂ内に進入したソレノイドプランジャ２３の末端嵌合部２３ｂを上方につまり嵌合させない状態に付勢している。電磁ソレノイド２０の通電時には、ソレノイドプランジャ２３の末端嵌合部２３ｂがこのコイルばね２８の付勢力に抗して、下錠軸２７の嵌合部２７ｂ（矩形孔）に嵌合する。
【００２６】
下錠軸２７の末端の軸部２７ａは、ケース１１の末端から施錠装置の本体フレーム２内に突出し、その先端にカム板８が固定ねじなどにより固定される。カム板８には、第１係合部８ａと第２係合部８ｂが形成され、第１係合部８ａはキーを右に回したとき、連結杆７の対応箇所に設けた係合部７ｂに係合し、連結杆７を上方に摺動させる。また、第２係合部８ｂはキーを左に回したとき、スイッチ作動杆３１の対応箇所に設けた係合部３１ｂに係合し、スイッチ作動杆３１を下方に摺動させる。
【００２７】
上記構成の施錠装置は、例えばスロットマシンの前扉の内側に、フック５，６をその本体のキャビネット側に向けて、その取付板４を介して縦に固定され、キャビネットのフック５，６の対向位置には、受け金具が固定される。シリンダ錠１０内の電磁ソレノイド２０の電気配線は、図示しない駆動回路（電源回路）に接続される。その駆動回路は管理用コンピュータにより制御可能に構成され、管理用コンピュータからその遊技機の施錠装置に対し解錠指令信号が出力されると、駆動回路が動作して電磁ソレノイド２０を駆動するように構成される。
【００２８】
キャビネットに対し、施錠装置を取り付けた前扉を閉じると、施錠装置の上下のフック５、６の傾斜部が、受け金具の係止部に当接しながら下方に回動し、フック５、６のフック凹部の先端が係止部を越えたところで、コイルばね３５の付勢力により水平位置に戻るように動作して、フック５、６が係止部に係止され施錠状態となる。
【００２９】
一方、遊技機の前扉を解錠する場合には、先ず、管理用コンピュータに入力して解錠しようとする遊技機の解錠指令信号を発生させ、駆動回路を介してその遊技機の施錠装置の電磁ソレノイド２０に通電を行なう。これにより、図５に示すように、電磁ソレノイド２０が動作し、ソレノイドプランジャ２３が吸引されて図の右側に移動し、コイルばね２８の付勢力に抗してその末端嵌合部２３ｂを下錠軸２７の嵌合部２７ｂに嵌合させる。このとき、電磁ソレノイド２０のソレノイドプランジャ２３の先端嵌合部２３ａは、上錠軸１７との嵌合連結を保持しているから、シリンダ錠１０の上錠軸１７が電磁ソレノイド２０を介して下錠軸２７に連結された状態となる。
【００３０】
次に、その施錠装置のシリンダ錠１０に所定のキーを差し込み右に回すと、同方向に上錠軸１７、ソレノイドプランジャ２３、及び下錠軸２７が一体的に回動し、これによって、カム板８が同方向に回動する。これにより、カム板８の第１係合部８ａが連結杆７の係合部７ｂに係合して、それをコイルばね３５の付勢力に抗して上方に摺動させる。これにより、上下のフック５、６が下側に傾動し、受け金具に対する係止が外れ、解錠される。したがって、電磁ソレノイド２０を作動した状態で、シリンダ錠１０にキーを挿入して回すと、カム板８が回動して、連結杆７が上方に摺動し、フック５，６が傾動し、解錠が行なわれる。
【００３１】
一方、電磁ソレノイド２０が非作動状態で、所定のキーをシリンダ錠１０に挿入し回すと、図３のように、ソレノイドプランジャ２３の先端嵌合部２３ａは、上錠軸１７との嵌合連結を保持しているが、その末端嵌合部２３ｂは下錠軸２７の嵌合部２７ｂとは非嵌合状態を保持し、キーによりシリンダ錠１０の上錠軸１７を回したとしても、電磁ソレノイド２０のソレノイドプランジャ２３が回動するのみで、下錠軸２７は回動しない。したがって、シリンダ錠１０をキーにより回したとしても、下錠軸２７及びカム板８は回動せず、連結杆７、フック５，６が傾動しないため、施錠装置は解錠されないこととなる。
【００３２】
このように、シリンダ錠１０内の電磁ソレノイド２０に通電していない通常時には、カム板８の解錠側へ回動が不可能となるから、キーをシリンダ錠１０に差し込んで解錠操作したとしても、カム板８を回動することができず、前扉の施錠状態は保持される。そして、管理者の管理用コンピュータによる解錠スイッチ操作と、係員のキー操作の二重操作によってのみ、施錠装置の解錠を行なうことができ、遊技機のセキュリティを、より向上させることができる。また、施錠装置には、シリンダ錠１０のケース１１内に電磁ソレノイド２０を収納するため、従来のように、電磁ソレノイドがカム板の外側に突出することがなく、施錠装置が大型化したり、突出する部品と他の部品との干渉が回避され、非常に狭い遊技機の隙間にも施錠装置を取り付けることができる。
【００３３】
なお、上記電磁ソレノイド２０には、通電時、ソレノイドプランジャ２３がヨーク２１内で回動可能な構造のものを使用したが、通電時にヨーク２１内でソレノイドプランジャ２３が回動不能な電磁ソレノイドの場合、ケース１１内でソレノイドプランジャ２３と共にヨーク２１を回動させて、上錠軸１７の回動を下錠軸２７に伝達することもできる。
【００３４】
図６は他の実施形態を示し、この例では、より小形の電磁ソレノイド５０をシリンダ錠４０のケース４１内に収納し、通常は、そのソレノイドプランジャ５３により下錠軸５７の回動をロックし、電磁ソレノイド５０の作動時に、そのロックを解除してシリンダ錠４０の解錠操作を可能にしている。
【００３５】
すなわち、図６に示すように、上記と同様な構成のシリンダ錠４０の上錠軸１７の下端の嵌合部１７ｂに、下錠軸５７の上端を嵌合して連結している。その下錠軸５７は円筒状のケース４１の軸心位置に配設され、ケース端部に嵌着した固定支持部５９に回動可能に支持される。下錠軸５７の一側部には、係止片５６が突設され、電磁ソレノイド５０は、ケース４１の内側で下錠軸５７の近傍にその軸方向に沿って取り付けられる。電磁ソレノイド５０のソレノイドプランジャ５３は、通常時（非通電時）、係止片５６に係合しており、通電時に、ソレノイドプランジャ５３が引戻されたとき、係止片５６との係合が解除される。下錠軸５７の末端は、本体フレーム２の内側に突出し、その端部には、カム板５８が固定される。カム板５８には、連結杆７の係合部７ｂに係合可能な第１係合部５８ａと、スイッチ作動杆３１の係合部３１ｂに係合可能な第２係合部５８ｂが設けられている。
【００３６】
このような構成の施錠装置では、通常時、つまり電磁ソレノイド５０が非作動状態において、所定のキーをシリンダ錠４０に挿入して回わそうとしても、図６のように、ソレノイドプランジャ５３の先端が下錠軸５７の係止片５６に係合しているため、下錠軸５７は回動不可能となり、施錠装置は解錠することができない。
【００３７】
一方、施錠装置を解錠する場合には、上記と同様に、例えば管理用コンピュータに入力して解錠しようとする遊技機の解錠指令信号を発生させ、駆動回路を介してその遊技機の施錠装置の電磁ソレノイド５０に通電を行なう。これにより、電磁ソレノイド５０が動作し、そのソレノイドプランジャ５３が吸引されて本体側に引戻され、下錠軸５７の係止片５６との係合が解除される。この状態で、施錠装置のシリンダ錠４０に所定のキーを差し込み右に回すと、同方向に上錠軸１７と下錠軸５７が一体的に回動する。これによって、カム板５８が同方向に回動し、カム板５８の第１係合部５８ａが連結杆７の係合部７ｂに係合して連結杆７を上方に摺動させ、連結杆７に連結されるフックを傾動させて、前面枠が解錠される。
【００３８】
このように、本施錠装置においても、電磁ソレノイド５０に通電していない通常時には、カム板８の解錠側へ回動が不可能となるから、例えば管理者の管理用コンピュータによる解錠スイッチ操作と、係員のキー操作の二重操作によってのみ、施錠装置の解錠を行なうことができ、遊技機のセキュリティを、より向上させることができる。また、施錠装置には、シリンダ錠４０のケース４１内に電磁ソレノイド５０を収納するため、上記と同様に、施錠装置が大型化したり、本体フレームから電磁ソレノイドなどの部品が突出することがない。よって、突出する部品と他の部品との干渉が回避され、非常に狭い遊技機の隙間にも本施錠装置を取り付けることができる。
【００３９】
なお、上記２つの実施形態では、支持板３にフック５，６が傾動可能に枢支され、上下のフック５，６が連結杆７により連結される構造の施錠装置に適用したが、フックを一体的に突設して形成した施錠杆を本体フレーム内に摺動可能に配設した構造の施錠具であっても、本発明を適用することができる。
【図面の簡単な説明】
【００４０】
【図１】本発明の一実施形態を示す施錠装置の右側面図である。
【図２】同施錠装置の正面図である。
【図３】（ａ）はシリンダ錠近傍の拡大断面図、（ｂ）はシリンダ錠の正面図である。
【図４】電磁ソレノイド２０、カム板８を含むシリンダ錠１０の分解斜視図である。
【図５】解錠時のシリンダ錠近傍の断面図である。
【図６】他の実施形態を示し、（ａ）はシリンダ錠近傍の拡大断面図、（ｂ）はそのｂ−ｂ断面図である。
【符号の説明】
【００４１】
２−本体フレーム
３−支持板
４−取付板
５，６−フック
７−連結杆
８−カム板
１０−シリンダ錠
１１−ケース
１２−錠本体
１７−上錠軸
２０−電磁ソレノイド
２３−ソレノイドプランジャ
２７−下錠軸
【図１】
2006020927.tif 000003
【図２】
2006020927.tif 000004
【図３】
2006020927.tif 000005
【図４】
2006020927.tif 000006
【図５】
2006020927.tif 000007
【図６】
2006020927.tif 000008